(57)【要約】【課題】適正な中古リース額を設定できるようにする。【解決手段】ＨＰ管理プログラム７８ａは、中古リース会社サーバ５に１次リース管理ＤＢ１０８ｂの１次リース管理情報を要求し、ファイナンス会社サーバ３に中古リース物件管理ＤＢの中古リース物件情報を要求し、それぞれ取得してリースシミュレーションプログラム７８ｂに供給する。リースシミュレーションプログラム７８ｂは、中古リース物件情報と１次リース管理情報に基づいて、中古リース物件のリース額を演算する。ＨＰ管理プログラム７８ａは、シミュレーション結果である演算したリース額の情報をユーザ端末装置２に送信する。本発明の中古リース契約システムに適用することができる。【選択図】　　　図６
2004094703.tif 000002
【特許請求の範囲】
【請求項１】
第１の情報処理装置と第２の情報処理装置からなる情報処理システムにおいて、
前記第１の情報処理装置は、
中古リース製品を指定する指定手段と、
前記指定手段により指定された前記中古リース製品の情報を前記第２の情報処理装置に送信する第１の送信手段と、
前記第２の情報処理装置より送信されてくる前記中古リース製品のリース額の情報を受信する第１の受信手段と
を備え、
前記第２の情報処理装置は、
前記第１の情報処理装置より送信されてくる前記中古リース製品の情報を受信する第２の受信手段と、
前記第２の受信手段により受信された前記中古リース製品の使用状態の情報を取得する使用状態情報取得手段と、
前記第２の受信手段により受信された前記中古リース製品の現在価値の情報を取得する現在価値情報取得手段と、
前記中古リース製品の現在価値の情報と、前記中古リース製品の使用状態の情報に基づいて、前記中古リース製品のリース額を演算する中古リース額演算手段と、
前記中古リース額演算手段により演算された前記中古リース製品のリース額を前記第１の情報処理装置に送信する第２の送信手段と
を備える
ことを特徴とする情報処理システム。
【請求項２】
前記中古リース製品の使用状態の情報は、過去のリース先の情報、および、使用頻度を示す属性の情報を含む
ことを特徴とする請求項１に記載の情報処理システム。
【請求項３】
前記中古リース製品の現在価値の情報は、リース物件ＩＤ、リース開始日、中途解約日、中途解約金、および、法定耐用年数の情報を含む
ことを特徴とする請求項１に記載の情報処理システム。
【請求項４】
前記使用状態情報取得手段は、ネットワークを介して他の情報処理装置から前記中古リース製品の使用状態の情報を取得する
ことを特徴とする請求項１に記載の情報処理システム。
【請求項５】
前記現在価値情報取得手段は、ネットワークを介して他の情報処理装置から前記中古リース製品の現在価値の情報を取得する
ことを特徴とする請求項１に記載の情報処理システム。
【請求項６】
第１の情報処理装置と第２の情報処理装置からなる情報処理システムの情報処理方法において、
前記第１の情報処理装置の情報処理方法は、
中古リース製品を指定する指定ステップと、
前記指定ステップの処理で指定された前記中古リース製品の情報を前記第２の情報処理装置に送信する第１の送信ステップと、
前記第２の情報処理装置より送信されてくる前記中古リース製品のリース額の情報を受信する第１の受信ステップと
を含み、
前記第２の情報処理装置の情報処理方法は、
前記第１の情報処理装置より送信されてくる前記中古リース製品の情報を受信する第２の受信ステップと、
前記第２の受信ステップの処理で受信された前記中古リース製品の使用状態の情報を取得する使用状態情報取得ステップと、
前記第２の受信ステップの処理で受信された前記中古リース製品の現在価値の情報を取得する現在価値情報取得ステップと、
前記中古リース製品の現在価値の情報と、前記中古リース製品の使用状態の情報に基づいて、前記中古リース製品のリース額を演算する中古リース額演算ステップと、
前記中古リース額演算ステップの処理で演算された前記中古リース製品のリース額を前記第１の情報処理装置に送信する第２の送信ステップと
を含む
ことを特徴とする情報処理システムの情報処理方法。
【請求項７】
第１の情報処理装置と第２の情報処理装置からなる情報処理システムを制御するプログラムであって、
前記第１の情報処理装置を制御するプログラムは、
中古リース製品の指定を制御する指定ステップと、
前記指定制御ステップの処理で指定が制御された前記中古リース製品の情報の前記第２の情報処理装置への送信を制御する第１の送信制御ステップと、
前記第２の情報処理装置より送信されてくる前記中古リース製品のリース額の情報の受信を制御する第１の受信制御ステップと
を含み、
前記第２の情報処理装置を制御するプログラムは、
前記第１の情報処理装置より送信されてくる前記中古リース製品の情報の受信を制御する第２の受信制御ステップと、
前記第２の受信制御ステップの処理で受信が制御された前記中古リース製品の使用状態の情報の取得を制御する使用状態情報取得制御ステップと、
前記第２の受信制御ステップの処理で受信が制御された前記中古リース製品の現在価値の情報の取得を制御する現在価値情報取得制御ステップと、
前記中古リース製品の現在価値の情報と、前記中古リース製品の使用状態の情報に基づいて、前記中古リース製品のリース額の演算を制御する中古リース額演算制御ステップと、
前記中古リース額演算制御ステップの処理で演算が制御された前記中古リース製品のリース額の前記第１の情報処理装置への送信を制御する第２の送信制御ステップと
を含む
ことを特徴とするコンピュータが読み取り可能なプログラムが記録されている記録媒体。
【請求項８】
第１の情報処理装置と第２の情報処理装置からなる情報処理システムを制御するコンピュータのうち、
前記第１の情報処理装置を制御するコンピュータに、
中古リース製品の指定を制御する指定ステップと、
前記指定制御ステップの処理で指定が制御された前記中古リース製品の情報の前記第２の情報処理装置への送信を制御する第１の送信制御ステップと、
前記第２の情報処理装置より送信されてくる前記中古リース製品のリース額の情報の受信を制御する第１の受信制御ステップと
を実行させ、
前記第２の情報処理装置を制御するコンピュータに、
前記第１の情報処理装置より送信されてくる前記中古リース製品の情報の受信を制御する第２の受信制御ステップと、
前記第２の受信制御ステップの処理で受信が制御された前記中古リース製品の使用状態の情報の取得を制御する使用状態情報取得制御ステップと、
前記第２の受信制御ステップの処理で受信が制御された前記中古リース製品の現在価値の情報の取得を制御する現在価値情報取得制御ステップと、
前記中古リース製品の現在価値の情報と、前記中古リース製品の使用状態の情報に基づいて、前記中古リース製品のリース額の演算を制御する中古リース額演算制御ステップと、
前記中古リース額演算制御ステップの処理で演算が制御された前記中古リース製品のリース額の前記第１の情報処理装置への送信を制御する第２の送信制御ステップと
を実行させる
ことを特徴とするプログラム。
【請求項９】
中古リース製品の使用状態の情報を取得する使用状態情報取得手段と、
前記中古リース製品の現在価値の情報を取得する現在価値情報取得手段と、
前記中古リース製品の現在価値の情報と、前記中古リース製品の使用状態の情報に基づいて、前記中古リース製品のリース額を演算する中古リース額演算手段と
を備えることを特徴とする情報処理装置。
【請求項１０】
前記中古リース製品の使用状態の情報は、過去のリース先の情報、および、使用頻度を示す属性の情報を含む
ことを特徴とする請求項９に記載の情報処理装置。
【請求項１１】
前記中古リース製品の現在価値の情報は、リース物件ＩＤ、リース開始日、中途解約日、中途解約金、および、法定耐用年数の情報を含む
ことを特徴とする請求項９に記載の情報処理装置。
【請求項１２】
前記使用状態情報取得手段は、ネットワークを介して他の情報処理装置から前記中古リース製品の使用状態の情報を取得する
ことを特徴とする請求項９に記載の情報処理装置。
【請求項１３】
前記現在価値情報取得手段は、ネットワークを介して他の情報処理装置から前記中古リース製品の現在価値の情報を取得する
ことを特徴とする請求項９に記載の情報処理装置。
【請求項１４】
中古リース製品の使用状態の情報を取得する使用状態情報取得ステップと、
前記中古リース製品の現在価値の情報を取得する現在価値情報取得ステップと、
前記中古リース製品の現在価値の情報と、前記中古リース製品の使用状態の情報に基づいて、前記中古リース製品のリース額を演算する中古リース額演算ステップと
を含むことを特徴とする情報処理方法。
【請求項１５】
中古リース製品の使用状態の情報の取得を制御する使用状態情報取得制御ステップと、
前記中古リース製品の現在価値の情報の取得を制御する現在価値情報取得制御ステップと、
前記中古リース製品の現在価値の情報と、前記中古リース製品の使用状態の情報に基づいて、前記中古リース製品のリース額の演算を制御する中古リース額演算制御ステップと
を含むことを特徴とするコンピュータが読み取り可能なプログラムが記録されている記録媒体。
【請求項１６】
中古リース製品の使用状態の情報の取得を制御する使用状態情報取得制御ステップと、
前記中古リース製品の現在価値の情報の取得を制御する現在価値情報取得制御ステップと、
前記中古リース製品の現在価値の情報と、前記中古リース製品の使用状態の情報に基づいて、前記中古リース製品のリース額の演算を制御する中古リース額演算制御ステップと
をコンピュータに実行させることを特徴とするプログラム。
【発明の詳細な説明】
【０００１】
【発明の属する技術分野】
本発明は、情報処理システムおよび方法、情報処理装置および方法、記録媒体、並びにプログラムに関し、特に、中古リース物件をリース契約する際に、中古リース製品の適正なリース額を設定できるようにした情報処理システムおよび方法、情報処理装置および方法、記録媒体、並びにプログラムに関する。
【０００２】
【従来の技術】
自動車や事務機器、通信機器などの物件に対するリース契約が広く行われている。このリース契約には、リース対象物の経済的残存耐用年数のほぼ全期間にわたって比較的長期間リースする場合と、経済的残存耐用年数よりも短い期間リースする場合がある。経済的残存耐用年数よりも短い期間リースする場合には、リース契約終了時にリース対象物に経済的価値が残存するため、残価設定リースとする場合が多い。
【０００３】
残価設定リースとは、リース対象となる物件の完全所有権価格をＡとすると、リース期間終了時にその品物について中古品市場が存在し市場価格が成立し得る場合、リース契約締結時にリース期間終了時点における残存価格Ｂ（以下、設定残価Ｂと称する）を設定し、完全所有権価格Ａから設定残価Ｂを差し引いた金額Ｙ（＝Ａ−Ｂ）をリース対象額とし、そしてリース期間Ｔを変数としてリースの料率を算定し月々のリース額を決定するリース方式である。
【０００４】
一般に自動車のように経済的残存耐用年数が５年以上あるが、３年または２年ごとにユーザが乗り換える傾向が強い商品のリース契約時に適用されることが多い。その他にもマンション、戸建住宅、オフィスなどの不動産や、コンピュータ、ルータなどの情報機器、通信機器等のハードウェアや、クレーンやブルドーザなどの建設機械や、運搬機械、航空機、耐久消費財ほか、ソフトウェアを含むコンピュータシステム等にも広く適用することができる。
【０００５】
この残価設定リースの利点は、リース対象となる品物の経済的耐用年数のほぼ全期間に渡ってリース契約を結ぶ通常のリース契約より「リース期間を短縮することが可能となる」ことと、それに伴い「支払いリース料の合計金額を安く設定できる」ことである。
【０００６】
この残価設定リースの特徴は、ユーザ（リース契約者）に対して、リース終了時に品物を返却するか、当初設定残価で買い取るかを選択する権利を与えることである。すなわちリース会社は、残価設定リース契約の一部として、リース終了後に設定残価Ｂでリース対象物を購入するする権利（コール・オプションと呼ぶ）をリース契約者であるユーザに売っていることと同義である。自動車ローンの一形態である残価設定リースを例に説明すると、リース契約時にリース期間終了後の残価Ｂを設定しておき、リース契約者は車両価格に整備費用や税金などを加算した金額Ａから設定残価Ｂを引いた額をリース対象額Ｙとしてリース会社に支払う。そして、リース契約者は、車両をリース会社に返却するか、又は当初設定残価Ｂで買い取るかをリース期間終了時に選択することができるリース形態である。
【０００７】
【発明が解決しようとする課題】
ところで、この残価設定リースにおいて、設定したリース期間を満了することなく、中途解約される製品が存在する。この中途解約された製品は、経済的耐用年数に至らないものも存在し、再び中古のリース製品とすることが可能である。
【０００８】
しかしながら、中古製品は、同じ型式の製品が、同じ時期に、同じ期間使用されていたとしても、過去のリース先でどのように使用されていたのかにより現在価値は大きく異なるものである。従って、異なる現在価値を有する各中古製品毎に適正なリース額を設定して、リース製品とするのは困難であるという課題があった。
【０００９】
本発明はこのような状況に鑑みてなされたものであり、特に、中古製品の過去の使用状態に応じた適正なリース額を設定できるようにするものである。
【００１０】
【課題を解決するための手段】
本発明の情報処理システムは、第１の情報処理装置が、中古リース製品を指定する指定手段と、指定手段により指定された中古リース製品の情報を第２の情報処理装置に送信する第１の送信手段と、第２の情報処理装置より送信されてくる中古リース製品のリース額の情報を受信する第１の受信手段とを備え、第２の情報処理装置が、第１の情報処理装置より送信されてくる中古リース製品の情報を受信する第２の受信手段と、第２の受信手段により受信された中古リース製品の使用状態の情報を取得する使用状態情報取得手段と、第２の受信手段により受信された中古リース製品の現在価値の情報を取得する現在価値情報取得手段と、中古リース製品の現在価値の情報と、中古リース製品の使用状態の情報に基づいて、中古リース製品のリース額を演算する中古リース額演算手段と、中古リース額演算手段により演算された中古リース製品のリース額を第１の情報処理装置に送信する第２の送信手段とを備えることを特徴とする。
【００１１】
前記中古リース製品の使用状態の情報には、過去のリース先の情報、および、使用頻度を示す属性の情報を含ませるようにすることができる。
【００１２】
前記中古リース製品の現在価値の情報には、リース物件ＩＤ、リース開始日、中途解約日、中途解約金、および、法定耐用年数の情報を含ませるようにすることができる。
【００１３】
前記使用状態情報取得手段には、ネットワークを介して他の情報処理装置から中古リース製品の使用状態の情報を取得させるようにすることができる。
【００１４】
前記現在価値情報取得手段には、ネットワークを介して他の情報処理装置から中古リース製品の現在価値の情報を取得させるようにすることができる。
【００１５】
本発明の情報処理システムの情報処理方法は、第１の情報処理装置の情報処理方法が、中古リース製品を指定する指定ステップと、指定ステップの処理で指定された中古リース製品の情報を第２の情報処理装置に送信する第１の送信ステップと、第２の情報処理装置より送信されてくる中古リース製品のリース額の情報を受信する第１の受信ステップとを含み、第２の情報処理装置の情報処理方法が、第１の情報処理装置より送信されてくる中古リース製品の情報を受信する第２の受信ステップと、第２の受信ステップの処理で受信された中古リース製品の使用状態の情報を取得する使用状態情報取得ステップと、第２の受信ステップの処理で受信された中古リース製品の現在価値の情報を取得する現在価値情報取得ステップと、中古リース製品の現在価値の情報と、中古リース製品の使用状態の情報に基づいて、中古リース製品のリース額を演算する中古リース額演算ステップと、中古リース額演算ステップの処理で演算された中古リース製品のリース額を第１の情報処理装置に送信する第２の送信ステップとを含むことを特徴とする。
【００１６】
本発明の第１の記録媒体のプログラムは、第１の情報処理装置を制御するプログラムが、中古リース製品の指定を制御する指定ステップと、指定制御ステップの処理で指定が制御された中古リース製品の情報の第２の情報処理装置への送信を制御する第１の送信制御ステップと、第２の情報処理装置より送信されてくる中古リース製品のリース額の情報の受信を制御する第１の受信制御ステップとを含み、第２の情報処理装置を制御するプログラムが、第１の情報処理装置より送信されてくる中古リース製品の情報の受信を制御する第２の受信制御ステップと、第２の受信制御ステップの処理で受信が制御された中古リース製品の使用状態の情報の取得を制御する使用状態情報取得制御ステップと、第２の受信制御ステップの処理で受信が制御された中古リース製品の現在価値の情報の取得を制御する現在価値情報取得制御ステップと、中古リース製品の現在価値の情報と、中古リース製品の使用状態の情報に基づいて、中古リース製品のリース額の演算を制御する中古リース額演算制御ステップと、中古リース額演算制御ステップの処理で演算が制御された中古リース製品のリース額の第１の情報処理装置への送信を制御する第２の送信制御ステップとを含むことを特徴とする。
【００１７】
本発明の第１のプログラムは、中古リース製品の指定を制御する指定ステップと、指定制御ステップの処理で指定が制御された中古リース製品の情報の第２の情報処理装置への送信を制御する第１の送信制御ステップと、第２の情報処理装置より送信されてくる中古リース製品のリース額の情報の受信を制御する第１の受信制御ステップとを実行させ、第２の情報処理装置を制御するコンピュータに、第１の情報処理装置より送信されてくる中古リース製品の情報の受信を制御する第２の受信制御ステップと、第２の受信制御ステップの処理で受信が制御された中古リース製品の使用状態の情報の取得を制御する使用状態情報取得制御ステップと、第２の受信制御ステップの処理で受信が制御された中古リース製品の現在価値の情報の取得を制御する現在価値情報取得制御ステップと、中古リース製品の現在価値の情報と、中古リース製品の使用状態の情報に基づいて、中古リース製品のリース額の演算を制御する中古リース額演算制御ステップと、中古リース額演算制御ステップの処理で演算が制御された中古リース製品のリース額の第１の情報処理装置への送信を制御する第２の送信制御ステップとを実行させることを特徴とする。
【００１８】
本発明の情報処理装置は、中古リース製品の使用状態の情報を取得する使用状態情報取得手段と、中古リース製品の現在価値の情報を取得する現在価値情報取得手段と、中古リース製品の現在価値の情報と、中古リース製品の使用状態の情報に基づいて、中古リース製品のリース額を演算する中古リース額演算手段とを備えることを特徴とする。
【００１９】
前記中古リース製品の使用状態の情報には、過去のリース先の情報、および、使用頻度を示す属性の情報を含ませるようにすることができる。
【００２０】
前記中古リース製品の現在価値の情報には、リース物件ＩＤ、リース開始日、中途解約日、中途解約金、および、法定耐用年数の情報を含ませるようにすることができる。
【００２１】
前記使用状態情報取得手段には、ネットワークを介して他の情報処理装置から中古リース製品の使用状態の情報を取得させるようにすることができる。
【００２２】
前記現在価値情報取得手段には、ネットワークを介して他の情報処理装置から中古リース製品の現在価値の情報を取得させるようにすることができる。
【００２３】
本発明の情報処理方法は、中古リース製品の使用状態の情報を取得する使用状態情報取得ステップと、中古リース製品の現在価値の情報を取得する現在価値情報取得ステップと、中古リース製品の現在価値の情報と、中古リース製品の使用状態の情報に基づいて、中古リース製品のリース額を演算する中古リース額演算ステップとを含むことを特徴とする。
【００２４】
本発明の第２の記録媒体のプログラムは、中古リース製品の使用状態の情報の取得を制御する使用状態情報取得制御ステップと、中古リース製品の現在価値の情報の取得を制御する現在価値情報取得制御ステップと、中古リース製品の現在価値の情報と、中古リース製品の使用状態の情報に基づいて、中古リース製品のリース額の演算を制御する中古リース額演算制御ステップとを含むことを特徴とする。
【００２５】
本発明の第２のプログラムは、中古リース製品の使用状態の情報の取得を制御する使用状態情報取得制御ステップと、中古リース製品の現在価値の情報の取得を制御する現在価値情報取得制御ステップと、中古リース製品の現在価値の情報と、中古リース製品の使用状態の情報に基づいて、中古リース製品のリース額の演算を制御する中古リース額演算制御ステップとをコンピュータに実行させることを特徴とする。
【００２６】
本発明の情報処理システムおよび方法、並びに第１のプログラムにおいては、第１の情報処理装置により、中古リース製品が指定され、指定された中古リース製品の情報が第２の情報処理装置に送信され、第２の情報処理装置より送信されてくる中古リース製品のリース額の情報が受信され、第２の情報処理装置により、第１の情報処理装置より送信されてくる中古リース製品の情報が受信され、受信された中古リース製品の使用状態の情報が取得され、受信された中古リース製品の現在価値の情報が取得され、中古リース製品の現在価値の情報と、中古リース製品の使用状態の情報に基づいて、中古リース製品のリース額が演算され、演算された中古リース製品のリース額が第１の情報処理装置に送信される。
【００２７】
本発明の情報処理装置および方法、並びに第２のプログラムにおいては、中古リース製品の使用状態の情報が取得され、中古リース製品の現在価値の情報が取得され、中古リース製品の現在価値の情報と、中古リース製品の使用状態の情報に基づいて、中古リース製品のリース額が演算される。
【００２８】
【発明の実施の形態】
図１は、本発明に係る中古リース契約システムの一実施の形態の構成を示す図である。
【００２９】
本発明のリース契約システムは、例えば、インターネットなどのネットワーク１上にユーザ端末装置２−１乃至２−ｎ、ファイナンス会社サーバ３、ホームページ管理サーバ（以下、ＨＰ（Ｈｏｍｅ　Ｐａｇｅ）管理サーバとも称する）４、および中古リース会社サーバ５が接続されており、それぞれが相互にデータを授受できる構成となっている。尚、以下の説明において、特にユーザ端末装置２−１乃至２−ｎを区別する必要がない場合、単にユーザ端末装置２と称するものとし、その他の構成についても同様に称するものとする。
【００３０】
ユーザ端末装置２−１は、中古リース会社サーバ５を管理運営する中古リース会社から所定の中古リース契約を結び、中古製品のリースを受けようとするユーザ（中古リース顧客）、例えば、中古リース契約を結びたい企業や個人などで操作されるパーソナルコンピュータである。
【００３１】
ファイナンス会社サーバ３は、中古リースにかかるリース額の支払いや、中古リースの契約などを管理するファイナンス会社により管理運営されるサーバであり、中古リース物件と中古リース顧客のデータベースを保持している。
【００３２】
ＨＰ管理サーバ４は、ユーザ端末装置２よりアクセス可能なＨＰ（ホームページ）を生成し管理するサーバである。このＨＰの管理業者は、ファイナンス会社であってもよいし、中古リース会社であってもよいし、さらには、ファイナンス会社や中古リース会社から委託を受けた第三者であってもよい。ＨＰ管理サーバ４は、ユーザ端末装置２からアクセスされて、そのＨＰ上から中古リース契約を結ぶ処理を実行する。また、ＨＰ管理サーバ４は、中古リース契約の処理を実行する際、中古リース額をシミュレーションする。尚、リース額のシミュレーションについては、詳細を後述する。
【００３３】
中古リース会社サーバ５は、中古製品をユーザにリースすることにより利益をあげる中古リース会社により管理運営されるサーバであり、ホームページ管理サーバ４からの問い合わせに応じて、中古リース額のシミュレーションに必要な１次リース情報を送信する。また、実際に中古リース契約がなされた場合、ＨＰ管理サーバ４を介して、ユーザ端末装置２からの要求に応じた、中古リース製品の配送を手配する。
【００３４】
次に、図２のブロック図を参照して、ユーザ端末装置２の構成について説明する。ＣＰＵ（Ｃｅｎｔｒａｌ　Ｐｒｏｃｅｓｓｉｎｇ　Ｕｎｉｔ）１１は、ＲＯＭ（Ｒｅａｄ　Ｏｎｌｙ　Ｍｅｍｏｒｙ）１２、または記憶部１８に記憶されているプログラム（アクセスプログラム１８ａ）に従って各種の処理を実行する。ＲＡＭ（Ｒａｎｄｏｍ　Ａｃｃｅｓｓ　Ｍｅｍｏｒｙ）１３には、ＣＰＵ１１が実行するプログラムやデータなどが適宜記憶される。これらのＣＰＵ１１、ＲＯＭ１２、およびＲＡＭ１３は、バス１４により相互に接続されている。
【００３５】
ＣＰＵ１１にはまた、バス１４を介して入出力インタフェース１５が接続されている。入出力インタフェース１５には、キーボード、マウス、マイクロフォンなどよりなる入力部１６、ディスプレイ、スピーカなどよりなる出力部１７が接続されている。ＣＰＵ１１は、入力部１６から入力される指令に対応して各種の処理を実行する。そして、ＣＰＵ１１は、処理の結果得られた画像や音声等を出力部１７に出力する。
【００３６】
入出力インタフェース１５に接続されている記憶部１８は、例えばハードディスクなどで構成され、ＣＰＵ１１が実行するプログラムや各種のデータを記憶する。通信部１９は、図１のネットワーク１で示す、例えば、インターネットなどを介して外部の装置と通信する。
【００３７】
また、記憶部１８は、アクセスプログラム１８ａ等のプログラムを記憶しており、ＣＰＵ１１は、これらのプログラムを読み出して対応する処理を実行する。尚、各種のプログラムについては後述する。
【００３８】
また、記憶部１８に記憶されるプログラムは、上述のほかにも、通信部１９を介してプログラムを取得し、記憶部１８に記憶してもよい。
【００３９】
入出力インタフェース１５に接続されているドライブ２０は、磁気ディスク２１、光ディスク２２、光磁気ディスク２３、或いは半導体メモリ２４などが装着されたとき、それらを駆動し、そこに記録されているプログラムやデータなどを取得する。取得されたプログラムやデータは、必要に応じて記憶部１８に転送され、記憶される。
【００４０】
次に、図３を参照して、ファイナンス会社サーバ３の構成について説明する。ファイナンス会社サーバ３は、基本的に図２で説明したユーザ端末装置２の構成と同様である。すなわち、ファイナンス会社サーバ３のＣＰＵ４１，ＲＯＭ４２，ＲＡＭ４３，バス４４，入出力インタフェース４５，入力部４６，出力部４７，記憶部４８，通信部４９，ドライブ５０，磁気ディスク５１，光ディスク５２，光磁気ディスク５３、および半導体メモリ５４は、図２のユーザ端末装置２のＣＰＵ１１，ＲＯＭ１２，ＲＡＭ１３，バス１４，入出力インタフェース１５，入力部１６，出力部１７，記憶部１８，通信部１９，ドライブ２０，磁気ディスク２１，光ディスク２２，光磁気ディスク２３、および半導体メモリ２４に対応するものであり、同様の機能を有するものである。
【００４１】
但し、記憶部４８に記憶されているプログラムやデータは、図２のユーザ端末装置２の記憶部１８に記憶されているプログラムやデータとは異なる。記憶部４８は、応答プログラム４８ａ、中古リース顧客管理ＤＢ（Ｄａｔａｂａｓｅ）４８ｂ、および、中古リース物件管理ＤＢ４８ｃを記憶しており、ＣＰＵ４１は、これらのプログラムやデータを適宜読み出して処理を実行する。
【００４２】
次に、図４を参照して、ＨＰ管理サーバ４の構成について説明する。ＨＰ管理サーバ４は、基本的に図２，図３で説明したユーザ端末装置２およびファイナンス会社サーバ３の構成と同様である。すなわち、ＨＰ管理サーバ４のＣＰＵ７１，ＲＯＭ７２，ＲＡＭ７３，バス７４，入出力インタフェース７５，入力部７６，出力部７７，記憶部７８，通信部７９，ドライブ８０，磁気ディスク８１，光ディスク８２，光磁気ディスク８３、および半導体メモリ８４は、図２のユーザ端末装置２のＣＰＵ１１，ＲＯＭ１２，ＲＡＭ１３，バス１４，入出力インタフェース１５，入力部１６，出力部１７，記憶部１８，通信部１９，ドライブ２０，磁気ディスク２１，光ディスク２２，光磁気ディスク２３、および半導体メモリ２４、並びに、図３のファイナンス会社サーバ３のＣＰＵ４１，ＲＯＭ４２，ＲＡＭ４３，バス４４，入出力インタフェース４５，入力部４６，出力部４７，記憶部４８，通信部４９，ドライブ５０，磁気ディスク５１，光ディスク５２，光磁気ディスク５３、および半導体メモリ５４に対応するものであり、同様の機能を有するものである。
【００４３】
但し、記憶部７８に記憶されているプログラムやデータは、図２ユーザ端末装置２の記憶部１８、または、図３のファイナンス会社サーバ３の記憶部４８に記憶されているプログラムやデータとは異なる。記憶部７８は、ＨＰ管理プログラム７８ａ、リースシュミレーションプログラム７８ｂ、および、属性対応ＤＢ７８ｃを記憶しており、ＣＰＵ７１は、これらのプログラムを適宜読み出して実行する。
【００４４】
次に、図５を参照して、中古リース会社サーバ５の構成について説明する。中古リース会社サーバ５は、基本的に図２乃至図４で説明したユーザ端末装置２、ファイナンス会社サーバ３、および、ＨＰ管理サーバ４の構成と同様である。すなわち、中古リース会社サーバ５のＣＰＵ１０１，ＲＯＭ１０２，ＲＡＭ１０３，バス１０４，入出力インタフェース１０５，入力部１０６，出力部１０７，記憶部１０８，通信部１０９，ドライブ１１０，磁気ディスク１１１，光ディスク１１２，光磁気ディスク１１３、および半導体メモリ１１４は、図２のユーザ端末装置２のＣＰＵ１１，ＲＯＭ１２，ＲＡＭ１３，バス１４，入出力インタフェース１５，入力部１６，出力部１７，記憶部１８，通信部１９，ドライブ２０，磁気ディスク２１，光ディスク２２，光磁気ディスク２３、および半導体メモリ２４、図３のファイナンス会社サーバ３のＣＰＵ４１，ＲＯＭ４２，ＲＡＭ４３，バス４４，入出力インタフェース４５，入力部４６，出力部４７，記憶部４８，通信部４９，ドライブ５０，磁気ディスク５１，光ディスク５２，光磁気ディスク５３、および半導体メモリ５４、並びに、図４のＨＰ管理サーバ４のＣＰＵ７１，ＲＯＭ７２，ＲＡＭ７３，バス７４，入出力インタフェース７５，入力部７６，出力部７７，記憶部７８，通信部７９，ドライブ８０，磁気ディスク８１，光ディスク８２，光磁気ディスク８３、および半導体メモリ８４に対応するものであり、同様の機能を有するものである。
【００４５】
但し、記憶部１０８に記憶されているプログラムやデータは、図２のユーザ端末装置２の記憶部１８、図３のファイナンス会社サーバ３の記憶部４８、または、図４のＨＰ管理サーバ４の記憶部７８に記憶されているプログラムやデータとは異なる。記憶部１０８は、応答プログラム１０８ａ、１次リース管理ＤＢ１０８ｂ、および、配送管理プログラム１０８ｃを記憶しており、ＣＰＵ１０１は、これらのプログラムを適宜読み出して実行する。
【００４６】
尚、ユーザ端末装置２は、ファイナンス会社サーバ３、ＨＰ管理サーバ４、および、中古リース会社サーバ５に比べて、扱うデータ量は少なく、処理速度も高速である必要はないので、その性能はやや劣るものであってもよい。
【００４７】
次に、図６の機能ブロック図を参照して、図２乃至図５を参照して説明したユーザ端末装置２、ファイナンス会社サーバ３、ＨＰ管理サーバ４、および、中古リース会社サーバ５により実現されるリース契約システムの機能について説明する。尚、図示していないが、図６の各装置は、ネットワーク１により接続されている。
【００４８】
ユーザ端末装置２のアクセスプログラム１８ａは、例えば、マイクロソフト社製のインターネットエクスプローラ（商標）や、ネットスケープ社のネットスケープ（商標）などであり、インターネットなどからなるネットワーク１を介して、ＨＰ管理サーバ４のＨＰ管理プログラム７８ａにより管理運営されている中古リース契約用のホームページにアクセスし、ユーザにより指示された内容に対応する処理を実行させる。
【００４９】
ＨＰ管理サーバ４のＨＰ管理プログラム７８ａは、中古リース契約用のＨＰを管理するためのプログラムである。より詳細には、ＨＰ管理プログラム７８ａは、ユーザ端末装置２から入力された情報に基づいて、ユーザがリースを希望する中古リース物件のリース額を、リースシミュレーションプログラム７８ｂを制御してシミュレーション（リース額を計算）させる。
【００５０】
また、ＨＰ管理プログラム７８ａは、中古リース額のシミュレーション結果をユーザ端末装置２に出力する。その際、ＨＰ管理プログラム７８ａは、必要に応じて中古リース顧客情報や、中古リース物件情報をファイナンス会社サーバ３に要求し、１次リース管理情報を中古リース会社サーバ５に要求する。さらに、ＨＰ管理プログラム７８ａは、リース価格のシミュレーション結果に基づいて、ユーザ端末装置２からの操作によりリース契約が成立したときのその契約結果と共に、今現在のリース製品を回収し、新たなリース物件を配送する日程を中古リース会社サーバ５に送信する。
【００５１】
また、リースシミュレーションプログラム７８ｂは、１次リース管理情報の中で、その中古リース製品の使用状態に応じて記録されている属性情報を読出し、属性対応ＤＢ７８ｃに照合して、必要な係数を読出し、中古リース額を演算する。
【００５２】
属性対応ＤＢ７８ｃには、図７で示すように、属性と対応する係数が設定されている。属性は、中古リース製品の使用状態に応じて設定されるパラメータであり、使用状態が過酷な順に（利用頻度が高い順に）、ＳＨ（Ｓｕｐｅｒ　Ｈｅａｖｙ），Ｈ（Ｈｅａｖｙ），Ｎ（Ｎｏｒｍａｌ），Ｌ（Ｌｉｇｈｔ）に設定されている。これは、後述する中古リース会社サーバ５の１次リース管理ＤＢ１０８ｂに含まれているものである。リースシミュレーションプログラム７８ｂでは、中古リース額の演算にあたり、これらのパラメータを所定の係数として扱うために、属性対応ＤＢ７８ｃにはパラメータごとに係数が設定されている。図７の場合、ＳＨは０．３、Ｈは０．２、Ｎは、０．１、Ｌは０．０５の係数がそれぞれ設定されている。尚、リースシミュレーションにおけるリース額の演算については後述する。
【００５３】
ファイナンス会社サーバ３の応答プログラム４８ａは、ＨＰ管理サーバ４のＨＰ管理プログラム７８ａからの要求に応じて、図７で示すリース顧客管理ＤＢ４８ｂから中古リース顧客管理情報を読み出してＨＰ管理サーバ４に送信する。図７の中古リース顧客管理ＤＢ４８ｂには、中古リースの顧客（より正確には、予め登録された中古リースを希望するユーザ）、すなわち、ユーザ端末装置２を操作するユーザの情報が記録されている。各顧客（各ユーザ）の情報としては、図８で示すように、図中左から中古リース顧客ＩＤ、ユーザ名、電話番号、住所、ＰＷ、および、Ｅ−ｍａｉｌ　Ａｄｄｒｅｓｓである。
【００５４】
中古リース顧客ＩＤは、中古リースを希望するユーザ毎につけられるＩＤであり、図８の場合、上から「Ｍ−０００１」、「Ｍ−０００２」、および「Ｍ−０００３」が記録されている。
【００５５】
ユーザ名は、中古リース顧客ＩＤに対応するユーザの名前であり、図８の場合、「ＡＡＡ」さん、「ＢＢＢ」さん、および「ＣＣＣ」さんが記録されている。
【００５６】
電話番号は、中古リース顧客ＩＤに対応するユーザの電話番号のことであり、図８の場合、上から「０１−２３４−５６７８」、「０３−４５６−７８９１」、および、「０４５−６７８−９１０１」が記録されている。
【００５７】
住所は、中古リース顧客ＩＤの住所であり、図８の場合、上から、「東京都中央区１」、「神奈川県横浜市５」、および、「千葉県千葉市１」と記録されている。
【００５８】
ＰＷ（Ｐａｓｓｗｏｒｄ）には、中古リース顧客ＩＤに対応するユーザのパスワード（ＰＷ）が記録されており、図８の場合、上から「ＰＩＡＮＯ」、「ＮＥＷＹＯＲＫ」、および「ＮＡＴＴＯ」が記録されている。
【００５９】
Ｅ−ｍａｉｌ　ａｄｄｒｅｓｓには、中古リース顧客ＩＤに対応するユーザのＥ−ｍａｉｌアドレスが記録されており、図８の場合、上から「ａａａ＠ａａ．ｃｏｍ」、「ｂｂｂ＠ｂｂ．ｃｏｍ」、および「ｃｃｃ＠ｃｃ．ｃｏｍ」が記録されている。
【００６０】
また、応答プログラム４８ａは、ＨＰ管理サーバ４のＨＰ管理プログラム７８ａからの要求に応じて、図９で示す中古リース物件管理ＤＢ４８ｃから中古リース物件管理情報を読み出してＨＰ管理サーバ４に送信する。図９の中古リース物件管理ＤＢ４８ｃには、中古リース物件の個々の情報が記録されている。リース物件管理情報としては、図９で示すように、図中左から中古リース物件番号、リース開始日、中途解約日、中途解約金、法定耐用年数、および、中古物件情報が含まれている。
【００６１】
中古リース物件番号は、中古リース可能な製品毎（物件毎）に付される番号であり、図９の場合、上から「０００１」、「０００２」、および、「０００３」と記録されている。
【００６２】
リース開始日は、中古リース可能な製品のリースが開始された日、すなわち、その製品が製造されてから（以前のユーザにより）最初にリースが開始された日付であり、図９の場合、上から「１９９９．４．１」、「２０００．５．１５」、および、「２０００．１２．３」と記録されており、リース物件番号「０００１」のリース開始日が「１９９９年４月１日」であり、リース物件番号「０００２」のリース開始日が「２０００年５月１５日」であり、リース物件番号「０００３」のリース開始日が「２０００年１２月３日」であることを示している。
【００６３】
中途解約日は、中古リース可能な製品が前のユーザによりリースが解約された日付であり、図９の場合、上から「２０００．４．１」、「２００１．５．１５」、および、「２００１．１２．３」と記録されており、リース物件番号「０００１」の中途解約日が「２０００年４月１日」であり、リース物件番号「０００２」の中途解約日が「２００１年５月１５日」であり、リース物件番号「０００３」の中途解約日が「２００１年１２月３日」であることが示されている。
【００６４】
中途解約金は、中古リース可能な製品が、前のユーザにより売却された際にリース会社が買取ったときの買取価格を示すものであり、図９の場合、上から「５０００００」、「６０００００」、および、「５５００００」と記録されており、リース物件番号「０００１」の中途解約金が「５０００００」円であり、リース物件番号「０００２」の中途解約金が「６０００００」円であり、リース物件番号「０００３」の中途解約金が「５５００００」円であることを示している。
【００６５】
法定耐用年数は、法で定められた中古リース可能な製品の製造時からの耐用年数であり、図９の場合、上から全て「１０」年と記録されている。
【００６６】
中古物件情報は、中古リース可能な製品の仕様などの情報を含めたファイルから構成されており、図９の場合、上から「ｆｉｌｅ１．ｈｔｍｌ」、「ｆｉｌｅ２．ｈｔｍｌ」、および「ｆｉｌｅ３．ｈｔｍｌ」と記録されており、リース物件番号「０００１」の物件情報が「ｆｉｌｅ１．ｈｔｍｌ」であり、リース物件番号「０００２」の物件情報が「ｆｉｌｅ２．ｈｔｍｌ」であり、リース物件番号「０００３」の物件情報が「ｆｉｌｅ３．ｈｔｍｌ」であることを示している。
【００６７】
中古リース会社サーバ５の応答プログラム１０８ａは、ＨＰ管理サーバ４のＨＰ管理プログラム７８ａからの要求に応じて、図１０で示す１次リース管理ＤＢ１０８ｂから１次リース管理情報を読み出してＨＰ管理サーバ４に送信する。図１０の１次リース管理ＤＢ１０８ｂには、中古リース物件番号、リース先、および属性が記録されている。ここで、１次リース管理情報とは、中古リース可能な製品の過去のユーザの使用状態を示す情報であり、後述する中古リース額の演算に必要な情報である。
【００６８】
尚、以下においては、中古リース製品の過去に使用したユーザが１名（１顧客）である場合について説明していく。従って、中古リース可能な製品の過去の使用状態の情報は、過去の１名分のユーザの使用状態を示すものである。このため、過去において複数のユーザが使用した中古リース製品を扱う場合、リース物件番号毎に複数のリース先の情報を記録するようにしてもよい。
【００６９】
リース物件番号は、図９の中古リース物件番号と同様のものである。
【００７０】
リース先は、リース物件番号に対応する中古リース製品の過去のユーザ、すなわち、過去のリース先を示す情報であり、図１０の場合、上から「Ａ社」、「Ｂ工場」、および、「オフィスＣ」と記録されており、リース物件番号「０００１」の過去のユーザ（リース先）が「Ａ社」であり、リース物件番号「０００２」の過去のユーザが「Ｂ工場」であり、リース物件番号「０００３」の過去のユーザが「オフィスＣ」であることが示されている。
【００７１】
属性は、リース物件番号に対応する中古リース製品の過去の使用状態を示す情報であり、例えば、使用状態が過酷な順に（利用頻度が高い順に）ＳＨ（Ｓｕｐｅｒ　Ｈｅａｖｙ），Ｈ（Ｈｅａｖｙ），Ｎ（Ｎｏｒｍａｌ），Ｌ（Ｌｉｇｈｔ）のいずれかが登録される。より詳細には、属性は、中古リース製品として登録されるとき、中古リース会社側で過去のユーザや使用環境に応じて設定される。例えば、シュレッダなどの場合、切断用のカッターの交換がなされたか否かなどが考慮されてその属性が設定される。図１０の場合、上から「Ｈ」、「ＳＨ」、および「Ｎ」と記録されており、リース物件番号「０００１」に対応する中古リース製品は、使用状態として「Ｈ」が設定され、リース物件番号「０００２」に対応する中古リース製品は、使用状態として「ＳＨ」が設定され、リース物件番号「０００３」に対応する中古リース製品は、使用状態として「Ｎ」が設定されていることが示されている。
【００７２】
さらに、応答プログラム１０８ａは、中古リース契約がなされた場合、リース契約が結ばれたユーザに、中古リース製品を配送する日程を配送管理プログラム１０８ｃに対して通知する。配送管理プログラム１０８ｃは、中古リース製品を配送する日程の情報に基づいて、各配送担当者の割り振りや、配送時間等のスケジュールを生成し、配送を管理する。
【００７３】
次に、ＨＰ管理サーバ４のリースシミュレーションプログラム７８ｂによる中古リース製品のリース額の演算方法について説明する。
【００７４】
リース額は、以下の式（１）により演算される。
リース額＝（中途解約金×（１＋Ａ）×（１−Ｂ））＋支払利息＋固定資産税＋保険料＋雑費　・・・（１）
【００７５】
ここで、Ａは、中古リース会社の利益分を示す値（例えば、１％を利益とする場合、Ａ＝０．０１）である。Ｂは、属性に対応する係数であり、例えば、その中古リース製品の１次リース管理情報の属性がＨである場合、図７で示すようにＢ＝０．２となる。尚、（中途解約金×（１＋Ａ）×（１−Ｂ））は、いわゆる償却費となる。
【００７６】
式（１）の支払利息は、以下の式（２）により求められる。
支払利息＝償却費×Ｃ　　　　　　　　　　　　　　　　　　　・・・（２）
【００７７】
ここで、償却費は、中古リース製品の現在価値であり、式（１）の（中途解約金×（１＋Ａ）×（１−Ｂ））の項である。また、Ｃは、金利などに基づいて設定される係数である。
【００７８】
式（１）の固定資産税は、以下に示す式（３）により求められる。
固定資産税＝各年度減価償却後資産残高合計×固定資産税率（＝１４／１０００）・・・（３）
【００７９】
ここで、各年度減価償却後資産残高合計は、以下の式（４）乃至式（７）により求められる。
各年度減価償却後資産残高合計＝Ｐ（１）＋Ｐ（２）＋・・＋Ｐ（ｎ）・・・（４）
Ｐ（１）＝償却費−（償却費×償却率×Ｄ）　　　　　　　　　・・・（５）
Ｐ（２）＝Ｐ（１）−（Ｐ（１）×償却率）　　　　　　　　　・・・（６）
Ｐ（ｎ）＝Ｐ（ｎ−１）−（Ｐ（ｎ−１）×償却率）　　　　　・・・（７）
【００８０】
ここで、Ｐ（１）、Ｐ（２）・・・Ｐ（ｎ）は、各々ｎ年目の各年度減価償却後資産残高である。また、Ｄは、所定の係数である。さらに、償却率とは、償却費が減少する割合を示す係数であり、残法定耐用年数に比例した値となる。残法定耐用年数は、簡便法により以下の式（８）により求められる。
残法定耐用年数＝法定耐用年数−経過年数＋経過年数×０．２　・・・（８）
【００８１】
ここで、経過年数とは、リース開始日から中途解約日までの期間を年数で示した値である。
【００８２】
式（１）の保険料は、以下の式（９）により求められる。
保険料＝各年度規定損害金残高合計×保険料率　　　　　　　　・・・（９）
【００８３】
ここで、各年度規定損害金残高合計は、以下の式（１０）乃至式（１３）より求めることができる。
各年度規定損害金残高合計＝Ｑ（１）＋Ｑ（２）＋・・＋Ｑ（ｎ）・・・（１０）
Ｑ（１）＝償却費×Ｅ　　　　　　　　　　　　　　　　　　・・・（１１）
Ｑ（２）＝償却費×Ｅ−逓減月額　　　　　　　　　　　　　・・・（１２）
Ｑ（ｎ）＝償却費×Ｅ−逓減月額　　　　　　　　　　　　　・・・（１３）
【００８４】
ここで、Ｑ（１）、Ｑ（２）・・・Ｑ（ｎ）は、各々ｎ年目の各年度規定損害金残高である。また、Ｅは、所定の係数であり、例えば、１．０乃至１．５程度の値である。さらに、逓減月額は、例えば、中古リース期間の前半と後半で分けて、以下の式（１４），式（１５）のように求めるようにしてもよい。
逓減月額（前半）＝（償却費×Ｆ１）×（契約月数／２）　　・・・（１４）
逓減月額（後半）＝（償却費×Ｆ２）×（契約月数／２）　　・・・（１５）
【００８５】
ここで、Ｆ１，Ｆ２は、Ｆ１≠Ｆ２であり、それぞれ０．４乃至０．７程度の値である。
【００８６】
式（１）の雑費は、信用保険金、リベート分、保守料、保守支払利息金、支払利息調整金、固定資産税および保険料調整金、並びに撤去費用などを含む金額であるが、リース総額から見て十分に小さな値であるため、ここでは、所定の定数扱いとする。しかしながら、雑費は、これらの要素を個々に合算するようにして求めるようにしてもよい。
【００８７】
次に、図１１乃至図１３のフローチャートを参照して、図６で示す中古リース契約システムによるリース契約処理について説明する。
【００８８】
ステップＳ１において、ユーザ端末装置２のアクセスプログラム１８ａが、ユーザにより操作されて、ＨＰ管理サーバ４により管理されているＨＰにアクセスする。
【００８９】
ステップＳ３１において、ＨＰ管理サーバ４のＨＰ管理プログラム７８ａは、ＩＤとパスワードの入力画面の情報を、ユーザ端末装置２に送信する。
【００９０】
ステップＳ２において、アクセスプログラム１８ａは、ＨＰ管理サーバ４から送信されてくるＩＤとパスワード（ＰＷ）の入力画面の情報に基づいて、例えば、図１４で示すように表示する。図１４においては、ＩＤを入力するＩＤ入力欄１２１とＰＷを入力するＰＷ入力欄１２２が表示される。ユーザは、このＩＤ入力欄１２１に自らのＩＤを入力すると共に、ＰＷ入力欄１２２に自らのＰＷを入力する。
【００９１】
ステップＳ３において、アクセスプログラム１８ａは、ＩＤとパスワードをＨＰ管理サーバ４に送信する。より詳細には、アクセスプログラム１８ａは、図１４で示したＩＤ入力欄１２１に入力されたＩＤとＰＷ入力欄１２２に入力されたパスワードをＨＰ管理サーバ４に送信する。
【００９２】
ステップＳ３２において、ＨＰ管理プログラム７８ａは、ファイナンス会社サーバ３にユーザ端末装置２から受信したＩＤとＰＷを送信し、認証を要求する。
【００９３】
ステップＳ９１において、ファイナンスサーバ３の応答プログラム４８ａは、ＨＰ管理サーバ４から送信されてきたＩＤとＰＷを、図８で示した中古リース顧客管理ＤＢ４８ｂ上の中古リース顧客ＩＤとＰＷの情報に照合して認証し、認証結果をＨＰ管理サーバ４に送信する。
【００９４】
ステップＳ３３において、ＨＰ管理プログラム７８ａは、認証が認められると、中古リース会社サーバ５に物件リストを要求する。
【００９５】
ステップＳ９２において、ファイナンス会社サーバ３の応答プログラム４８ａは、中古リース物件情報ＤＢ４８ｃの情報に基づいて、中古リース可能な物件からなる中古リース物件リストを生成し、ＨＰ管理サーバ４に送信する。
【００９６】
ステップＳ３４において、ＨＰ管理プログラム７８ａは、中古リース物件リストに基づいて、中古リース可能な物件の選択画面の情報をユーザ端末装置２に送信する。
【００９７】
ステップＳ４において、アクセスプログラム１８ａは、ＨＰ管理サーバ４より送信されてきた選択画面を、例えば、図１５で示すように表示する。図１５においては、「中古物件Ｓ」と示されたボタン１３１−１、「中古物件Ｔ」と示されたボタン１３１−２、「中古物件Ｕ」と示されたボタン１３１−３がそれぞれ表示されており、いずれかをポインタで選択することができる。尚、図１５においては、中古物件Ｓ乃至Ｕまでのボタン１３１−１乃至１３１−３の３個が示されているが、それ以外の数のボタンが表示されるようにしてもよい。
【００９８】
ステップＳ５において、アクセスプログラム１８ａは、ユーザによる選択結果をＨＰ管理サーバ４に送信する。すなわち、上述のボタン１３１−１乃至３のいずれかのうちポインタにより選択された物件の情報がＨＰ管理サーバ４に送信される。
【００９９】
ステップＳ３５において、ＨＰ管理プログラム７８ａは、選択結果に基づいて、ファイナンス会社サーバ３に、対応する中古リース物件管理情報を要求する。
【０１００】
ステップＳ９３において、ファイナンス会社サーバ３の応答プログラム４８ａは、中古リース物件管理ＤＢ４８ｂに記録された物件情報のうち、選択結果に対応するリース物件番号の中古リース物件管理情報を読み出してＨＰ管理サーバ４に送信する。
【０１０１】
ステップＳ３６において、ＨＰ管理プログラム７８ａは、ファイナンス会社サーバ３より中古リース物件管理情報を取得し、そのうち、物件情報をユーザ端末装置２に送信する。すなわち、例えば、図１５において、ボタン１３１−３が押下され、中古物件Ｕが選択されると共に、中古物件Ｕが図９で示した中古リース物件管理ＤＢ４８ｃの中古リース物件番号「０００３」に対応している場合、物件情報として「ｆｉｌｅ３．ｈｔｍｌ」のファイルが送信されることになる。
【０１０２】
ステップＳ６において、アクセスプログラム１８ａは、ＨＰ管理サーバ３から取得した物件情報を表示する。すなわち、今の場合、アクセスプログラム１８ａは、ＨＰ管理サーバ４から送信されてきた「ｆｉｌｅ３．ｈｔｍｌ」の情報を、例えば、図１６で示すような表示画面を表示する。図１６においては、中古リース物件Ｕを示す画像１４４が表示され、その右側に説明文が表示されている。さらに、その下には、「リース月数」「ヶ月」と示されており、その間にリース額をシミュレーションする際に使用するデータとして、ユーザが所望とするリース期間を入力するリース期間入力欄１４１が表示されている。ユーザは、キーボードなどを操作して、リース期間入力欄１４１にリース期間としたい月数を入力する。今の場合、６０が入力されている。
【０１０３】
また、「シミュレーション」と表示されているボタン１４２は、ユーザが、この製品をリースした場合のリース額をシミュレーションしたいときポインタにより操作されるボタンである。キャンセルと表示されたボタン１４３は、この製品の表示画面を終了させたいとき、ユーザによりポインタなどで操作されるボタンである。さらに、「希望配送日」と表示された下の部分に、希望配送日入力欄１４５が設けられており、ユーザがキーボードなどを操作して希望配送日を入力することができる。図１６では、「２００２．７．３０」と入力されている。
【０１０４】
ステップＳ７において、アクセスプログラム１８ａは、シミュレーションのボタン１４２がポインタにより押下されたか否かを判定し、押下されていないと判定された場合、すなわち、キャンセルと表示されたボタン１４３が押下されたと判定された場合、キャンセルが選択されたことをＨＰ管理サーバ４に通知し、その処理は、ステップＳ４に戻り、再び選択画面が表示されることになる。
【０１０５】
ステップＳ７において、シミュレーションと表示されたボタン１４２が押下されたと判定された場合、アクセスプログラム１８ａは、シミュレーションが選択されたことをＨＰ管理サーバ４に通知する。
【０１０６】
ステップＳ３７において、ＨＰ管理プログラム７８ａは、シミュレーションが選択されたか否かを判定し、例えば、ステップＳ７において、シミュレーションが選択されていないと判定され、キャンセルが選択されたこと示す通知が送信されてきた場合、シミュレーションが選択されていないと判定し、その処理は、ステップＳ３４に戻り、それ以降の処理が繰り返される。
【０１０７】
ステップＳ３７において、例えば、ステップＳ７の処理でシミュレーションが選択されたと判定し、シミュレーションが選択されたことを示す通知が送信されてきた場合、シミュレーションが選択されたと判定され、その処理は、ステップＳ３８に進む。
【０１０８】
ステップＳ３８において、ＨＰ管理プログラム７８ａは、中古リース会社サーバ５に、選択された中古リース物件番号を送信すると共に、中古リース物件の１次リース管理情報を要求する。
【０１０９】
ステップＳ７１において、中古リース会社サーバ５の応答プログラム１０８ａは、送信されてきた中古リース物件番号に対応する１次リース管理情報を１次リース管理ＤＢ１０８ｂから読み出して、ＨＰ管理サーバ４に送信する。
【０１１０】
ステップＳ３９において、ＨＰ管理サーバ３のＨＰ管理プログラム７８ａは、中古リース会社サーバ５から送信されてきた１次リース管理情報を取得し、リースシミュレーションプログラム７８ｂに供給する。
【０１１１】
ステップＳ４０（図１２）において、リースシミュレーションプログラム７８ｂは、残法定耐用年数を演算する。すなわち、図９で示した中古リース物件管理情報に含まれているリース開始日と中途解約日の情報から経過年数を求め、さらに法定耐用年数との差分を求める演算処理、すなわち、式（８）の演算処理を実行することにより残法定耐用年数を求める。
【０１１２】
ステップＳ４１において、リースシミュレーションプログラム７８ｂは、１次リース管理情報に含まれている属性情報から対応する係数Ｂを求める。例えば、物件リース番号が「０００３」であった場合、属性情報は、Ｎとなる。従って、リースシミュレーションプログラム７８ｂは、図７で示した属性対応ＤＢ７８ｃにアクセスして対応する係数Ｂを検索する。この場合、０．１が求められることになる。
【０１１３】
ステップＳ４２において、リースシミュレーションプログラム７８ｂは、償却費を演算する。より詳細には、リースシミュレーションプログラム７８ｂは、図９で示した中古リース物件管理情報に含まれている中途解約金の情報と、係数Ｂの値を、上述の式（１）の（中途解約金×（１＋Ａ）×（１−Ｂ））に代入して償却費を演算する。
【０１１４】
ステップＳ４３において、リースシミュレーションプログラム７８ｂは、支払利息を演算する。すなわち、リースシミュレーションプログラム７８ｂは、ステップＳ４２の処理で求められた償却費を式（２）に代入して支払利息を演算する。
【０１１５】
ステップＳ４４において、リースシミュレーションプログラム７８ｂは、固定資産税を求める。すなわち、リースシミュレーションプログラム７８ｂは、式（３）乃至式（７）を演算して固定資産税を求める。このとき、償却率は、ステップＳ４０において演算された残法定耐用年数に比例した値となる。
【０１１６】
ステップＳ４５において、リースシミュレーションプログラム７８ｂは、保険料を求める。すなわち、リースシミュレーションプログラム７８ｂは、上述の式（９）乃至式（１３）を演算して保険料を求める。
【０１１７】
ステップＳ４６において、リースシミュレーションプログラム７８ｂは、償却費（中途解約金×（１＋Ａ）×（１−Ｂ））、支払利息、固定資産税、保険料、および雑費（ここでは定数）を加算して中古リース額（総額）を求め、ＨＰ管理プログラム７８ａに出力する。このとき、さらに、リースシミュレーションプログラム７８ｂは、中古リース額の総額をリース月数で割ることにより月額リース額も求める。
【０１１８】
ステップＳ４７において、ＨＰ管理プログラム７８ａは、シミュレーション結果である、中古リース額（総額、および、月額）をユーザ端末装置２に送信する。
【０１１９】
ステップＳ９において、ユーザ端末装置２のアクセスプログラム１８ａは、送信されてきたシミュレーション結果を、例えば、図１７で示すように、表示する。図１７においては、シミュレーションの結果として、リース額の総額が、リース総額表示欄１５１に表示される。また、月額のリース額が、月額リース額表示欄１６２に表示される。さらに、「契約」と示されたボタン１５３、「再シミュレーション」と示されたボタン１５４、および、「キャンセル」と示されたボタン１５５が表示され、それぞれ再シミュレーションを指令するとき、契約の処理を指令するとき、およびキャンセルを指令するとき、それぞれユーザにより操作される。
【０１２０】
ステップＳ１０（図１３）において、アクセスプログラム１８ａは、再シミュレーションが選択されたか否かを判定し、例えば、ボタン１５４が操作された場合、アクセスプログラム１８ａは、再シミュレーションが選択されたと判定し、再シミュレーションが選択されたことをＨＰ管理サーバ４に通知すると共に、その処理は、ステップＳ４に戻る。
【０１２１】
ステップＳ４８において、ＨＰ管理プログラム７８ａは、再シミュレーションか否かを判定し、例えば、ユーザ端末装置２から再シミュレーションが選択されたことが通知されると、再シミュレーションが選択されたと判定し、その処理は、ステップＳ３４に戻る。
【０１２２】
ステップＳ１０において、再シミュレーションが選択されなかった場合、ステップＳ１１において、アクセスプログラム１８ａは、ボタン１５３が操作されて契約が指示されたか否かを判定し、例えば、ボタン１５３が操作されて契約が指示されたと判定された場合、ステップＳ１２において、図１６で示した表示画面の希望配送日入力欄１４５に入力された希望配送日の情報と共に、ＨＰ管理サーバ４に対して契約を要求する。
【０１２３】
ステップＳ４９において、ＨＰ管理プログラム７８ａは、契約が要求されたか否かを判定し、例えば、ステップＳ１２の処理により、契約が要求されたと判定された場合、ステップＳ５０において、希望配送日と契約の情報（リース契約を結ぶ物件の情報）を中古リース会社サーバ５に送信する。
【０１２４】
ステップＳ７２において、中古リース会社サーバ５の応答プログラム１０８ａは、契約が成立したか否かを判定し、例えば、ステップＳ５０の処理により、希望配送日と契約の情報を受信すると、契約が成立したとみなし、その処理は、ステップＳ７３に進む。
【０１２５】
ステップＳ７３において、配送管理プログラム１０８ｃは、希望配送日に基づいて配送スケジュールを設定した上で登録し、ステップＳ７４において、契約完了をＨＰ管理サーバ４に送信する。
【０１２６】
ステップＳ５１において、ＨＰ管理プログラム７８ａは、契約が完了したことをユーザ端末装置２に通知すると共に、ファイナンス会社サーバ３に契約内容の情報を送信する。
【０１２７】
ステップＳ１３において、アクセスプログラム１８ａは、ＨＰ管理サーバ４より送信されてきた通知の内容を表示する。すなわち、今の場合、例えば、図１８で示すように契約が完了したことを示す契約書が表示される。図１８においては、「印刷」と記載されたボタン１６１と、「終了」と記載されたボタン１６２とが表示されている。ボタン１６１は、ユーザがこの契約書を印刷しようとするとき操作され、ボタン１６２は、この表示画面を終了させたいとき操作されるボタンである。
【０１２８】
ステップＳ１４において、アクセスプログラム１８ａは、印刷が希望されたか否かを判定し、例えば、図１８のボタン１６１が操作されると、印刷が希望されたと判定し、図１８で示すように表示されている契約書を印刷する。ステップＳ１４において、印刷が希望されていない、すなわち、終了が選択され、ボタン１６２が操作されるとステップＳ１５の処理はスキップされてその処理は、終了する。
【０１２９】
ステップＳ９４において、ファイナンス会社サーバ３の応答プログラム４８ａは、契約が成立したか否かを判定する。例えば、ステップＳ５１の処理により、契約情報が送信されてきて、契約が成立したと判定された場合、ステップＳ９５において応答プログラム４８ａは、中古リース顧客管理ＤＢ４８ｂを送信されてきた契約情報に対応して更新する。
【０１３０】
ステップＳ１１において、契約が選択されなかったと判定された場合、すなわち、キャンセルが表示されたボタン１５５が操作された場合、アクセスプログラム１８ａは、契約が選択されなかったことをＨＰ管理サーバ４に通知し、ステップＳ１３乃至Ｓ１６の処理がスキップされて処理が終了される。
【０１３１】
これに伴って、ステップＳ４９においては、契約が選択されなかったと判定されるので、ステップＳ５０，Ｓ５１の処理がスキップされて、ファイナンス会社サーバ３、および、中古リース会社サーバ５に契約が選択されなかったことが通知される。
【０１３２】
この処理によりステップＳ７２において、契約がなされなかったと判定され、ステップＳ７３，Ｓ７４の処理がスキップされる。さらに、このとき、ステップＳ９４においても契約が選択されなかったと判定され、ステップＳ９５の処理がスキップされる。
【０１３３】
以上の処理により、中古リース額は、中古リース物件管理ＤＢ４８ｃの中古リース物件管理情報と、１次リース管理ＤＢ１０８ｂの属性情報にに基づいて、式（１）により求められることになるので、その設定にあたり中古リース製品の現在価値と使用状態を考慮した適正な中古リース額を設定することが可能となる。
【０１３４】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどに記録媒体からインストールされる。
【０１３５】
この記録媒体は、図２乃至図５に示すようにユーザ端末装置２、ファイナンス会社サーバ３、ＨＰ管理サーバ４、および中古リース会社サーバ５に予め組み込まれた状態でユーザに提供される、プログラムが記録されている記憶部１８，４８，７８，１０８，だけではなく、コンピュータとは別に、ユーザにプログラムを提供するために配布される、プログラムが記録されている磁気ディスク２１，５１，８１，１１１（フレキシブルディスクを含む）、光ディスク２２，５２，８２，１１２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク２３，５３，８３，１１３（ＭＤ（Ｍｉｎｉ−Ｄｉｓｃ）（登録商標）を含む）、もしくは半導体メモリ２４，５４，８４，１１４（Ｍｅｍｏｒｙ　Ｓｔｉｃｋを含む）などよりなるパッケージメディアにより構成される。
【０１３６】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１３７】
また、本明細書において、システムとは、複数の装置により構成される装置全体を表すものである。
【０１３８】
【発明の効果】
本発明によれば、中古リース額を適正な価格で設定することが可能となる。
【図面の簡単な説明】
【図１】本発明を適用した中古リース契約システムのブロック図である。
【図２】図１のユーザ端末装置の構成を示すブロック図である。
【図３】図１のファイナンス会社サーバの構成を示すブロック図である。
【図４】図１のホームページ管理サーバの構成を示すブロック図である。
【図５】図１の中古リース会社サーバの構成を示すブロック図である。
【図６】図１のリース契約システムの機能を示す機能ブロック図である。
【図７】属性対応ＤＢの構成例を示す図である。
【図８】中古リース顧客管理ＤＢの構成例を示す図である。
【図９】中古リース物件管理ＤＢの構成例を示す図である。
【図１０】１次リース管理ＤＢの構成例を示す図である。
【図１１】中古リース契約処理を説明するフローチャートである。
【図１２】中古リース契約処理を説明するフローチャートである。
【図１３】中古リース契約処理を説明するフローチャートである。
【図１４】表示される画面の表示例を示す図である。
【図１５】表示される画面の表示例を示す図である。
【図１６】表示される画面の表示例を示す図である。
【図１７】表示される画面の表示例を示す図である。
【図１８】表示される画面の表示例を示す図である。
【符号の説明】
１　ネットワーク，　２，２−１乃至２−ｎ　ユーザ端末装置，　３　ファイナンス会社サーバ３　ホームページ管理サーバ，　５　中古リース会社サーバ，１８ａ　アクセスプログラム，　１８ｂ　メールプログラム，　４８ａ　応答プログラム，　４８ｂ　中古リース顧客管理ＤＢ，　４８ｃ　中古リース物件管理ＤＢ，　７８ａ　ホームページ管理プログラム，　７８ｂ　リースシミュレーションプログラム，　７８ｃ　属性対応ＤＢ，　１０８ａ　応答プログラム，　１０８ｂ　１次リース管理ＤＢ，　１０８ｃ　配送管理プログラム
【図１】
2004094703.tif 000003
【図２】
2004094703.tif 000004
【図３】
2004094703.tif 000005
【図４】
2004094703.tif 000006
【図５】
2004094703.tif 000007
【図６】
2004094703.tif 000008
【図７】
2004094703.tif 000009
【図８】
2004094703.tif 000010
【図９】
2004094703.tif 000011
【図１０】
2004094703.tif 000012
【図１１】
2004094703.tif 000013
【図１２】
2004094703.tif 000014
【図１３】
2004094703.tif 000015
【図１４】
2004094703.tif 000016
【図１５】
2004094703.tif 000017
【図１６】
2004094703.tif 000018
【図１７】
2004094703.tif 000019
【図１８】
2004094703.tif 000020